(57)【要約】      （修正有）【課題】開封後に再度封函可能で、隙間が小さい箱体を形成できる箱用シートを提供する。【解決手段】１枚の段ボールシートから形成され、箱状に組立てられる箱用シートであって、四角筒状に組立てられるよう左右方向に連接される方形状の４つの側板１、２、３、４と、組立状態で対向する２つの側板１、３の上縁から延出する１対の蓋板６、７とを備え、１対の蓋板６、７が、基端縁から離間する位置に基端縁と略平行に形成されるスリット１４と、延出方向先端に他方の蓋板６、７のスリット１４に挿入される差込片１５と、スリット１４よりも延出方向先端側かつ差込片１５よりも基端側で蓋板６、７を分割可能な開封用切断容易線１６とを有することを特徴とする。【選択図】図１
0003206842.tif 000002
【実用新案登録請求の範囲】
【請求項１】
１枚の段ボールシートから形成され、箱状に組立てられる箱用シートであって、
四角筒状に組立てられるよう左右方向に連接される方形状の４つの側板と、
組立状態で対向する２つの上記側板の上縁から延出する１対の蓋板と
を備え、
上記１対の蓋板が、
基端縁から離間する位置に基端縁と略平行に形成されるスリットと、
延出方向先端に他方の蓋板のスリットに挿入される差込片と、
上記スリットよりも延出方向先端側かつ差込片よりも基端側で蓋板を分割可能な開封用切断容易線と
を有することを特徴とする箱用シート。
【請求項２】
上記差込片の基端縁が、左右方向に伸びる基端折曲容易線と、この基端折曲容易線の左右方向両側に左右方向に伸び、蓋板延出方向先端側にオフセットして設けられる１対の係合切断線と、上記基端折曲容易線と１対の係合切断線とを接続する１対の接続切断線とによって画定され、
上記スリットが、上記基端折曲容易線と略等しい長さで左右方向に伸びる中央切断線部と、この中央切断線部の左右方向両側に左右方向に伸び、蓋板延出方向基端側にオフセットして設けられる１対の側方切断線部とを有する請求項１に記載の箱用シート。
【請求項３】
上記１対の側方切断線部の中央切断線部からのオフセット量が、段ボールシートの平均厚さの０．５倍以上２倍以下である請求項２に記載の箱用シート。
【請求項４】
上記蓋板が延出しない１対の側板の上縁から延出する１対の内フラップをさらに備え、
上記１対の内フラップの先端縁が組立状態で略突き合わされる請求項１、請求項２又は請求項３に記載の箱用シート。
【請求項５】
上記開封用切断容易線が、蓋板の左右方向略中央に位置する破断開始部と、この破断開始部から左右方向両側かつ蓋板延出方向先端側に伸びる追従破断部とを有する請求項１から請求項４のいずれか１項に記載の箱用シート。
【考案の詳細な説明】
【技術分野】
【０００１】
本考案は、箱用シートに関する。
【背景技術】
【０００２】
段ボールシートから形成される箱体が、多様な品物を収容するために広く使用されている。このような箱体は、一般的に、品物の輸送や保管の際には封函される。このため、箱体の封函が容易となるよう、蓋板に他のパネルに形成されるスリットに挿入可能な差込片を設ける場合がある。また、箱体に収容されている品物を容易に取り出すことができるよう、箱体にミシン目状の破断容易線を形成することで、箱体を比較的容易に開封できるようにする構成も知られている。
【０００３】
一般に、破断容易線を破断して開封した箱体は、再度封函することが困難であるため、再利用には適さない。このため、開封後に箱体を再利用する場合、粘着テープで封函し、この粘着テープを剥がすことで開封し、再度粘着テープを貼り直すことで箱体を再度封函する方法が採用される。しかしながら、粘着テープの使用は煩雑であり、きれいに剥がすことも難しい。
【０００４】
そこで、粘着テープによらず封函でき、開封後に再度封函可能な箱体を形成できる構成として、対向する１対の側板の上縁にそれぞれ蓋板を延設し、各蓋板の先端に他方の蓋板の基端縁に形成されるスリットに挿入される差込片を設け、各蓋板に差込片を含む領域を切除可能な切断容易線を形成することが提案されている（特開２００６−１７６１４９号公報参照）。
【０００５】
この構成によれば、一方の蓋板の切断容易線を破断して開封した後、１対の蓋板の上下を入れ替えて、他方の蓋板を使用して箱体を封函することができる。しかしながら、このように蓋板の基端縁にスリットを形成すると、特に対向する蓋板の差込片が挿入されない方のスリットは、蓋板を側板に対して折り曲げると隙間を形成して箱体内に異物が入り込みやすくなるという不都合が生じる。
【先行技術文献】
【特許文献】
【０００６】
【特許文献１】特開２００６−１７６１４９号公報
【考案の概要】
【考案が解決しようとする課題】
【０００７】
上記不都合に鑑みて、本考案は、開封後に再度封函可能で、隙間が小さい箱体を形成できる箱用シートを提供することを課題とする。
【課題を解決するための手段】
【０００８】
上記課題を解決するためになされた考案は、１枚の段ボールシートから形成され、箱状に組立てられる箱用シートであって、四角筒状に組立てられるよう左右方向に連接される方形状の４つの側板と、組立状態で対向する２つの上記側板の上縁から延出する１対の蓋板とを備え、上記１対の蓋板が、基端縁から離間する位置に基端縁と略平行に形成されるスリットと、延出方向先端に他方の蓋板のスリットに挿入される差込片と、上記スリットよりも延出方向先端側かつ差込片よりも基端側で蓋板を分割可能な開封用切断容易線とを有することを特徴とする箱用シートである。
【０００９】
当該箱用シートは、組立状態で対向する２つの側板の上縁から延出する１対の蓋板が、基端縁から離間する位置に基端縁と略平行に形成されるスリットと、延出方向先端に他方の蓋板のスリットに挿入される差込片とを有することによって、組立状態で一方の蓋板の差込片を他方の蓋板のスリットに挿入することで比較的容易に封函することができる。当該箱用シートは、封函のためのスリットが、基端縁から離間する位置に形成されているので、一方の蓋板の差込片が他方の蓋板と重なり合う状態で封函されるので隙間を形成し難く、かつ差込片が挿入されない方のスリットも蓋板を側板に対して折り曲げても拡がり難いので箱体に隙間を形成し難い。また、当該箱用シートは、上記蓋板のスリットよりも延出方向先端側かつ差込片よりも基端側で蓋板を分割可能な開封用切断容易線をさらに有することによって、封函状態で他方の蓋板のスリットに差込片が挿入されている方の蓋板の開封用切断容易線を破断することで比較的容易に開封することができる。また、当該箱用シートを組立ててなる箱体は、一方の蓋板の開封用切断容易線を破断して開封した後、開封用切断容易線を破断した蓋板を内側に配置して、この蓋板のスリットに他方の蓋板の差込片を挿入することによって、再度封函することができる。
【００１０】
上記差込片の基端縁が、左右方向に伸びる基端折曲容易線と、この基端折曲容易線の左右方向両側に左右方向に伸び、蓋板延出方向先端側にオフセットして設けられる１対の係合切断線と、上記基端折曲容易線と１対の係合切断線とを接続する１対の接続切断線とによって画定され、上記スリットが、上記基端折曲容易線と略等しい長さで左右方向に伸びる中央切断線部と、この中央切断線部の左右方向両側に左右方向に伸び、蓋板延出方向基端側にオフセットして設けられる１対の側方切断線部とを有するとよい。このように、上記差込片の基端縁が基端折曲容易線とこの基端折曲容易線からオフセットされた１対の係合切断線とを有し、上記スリットが中央切断線部とこの中央切断線部からオフセットされた側方切断線部とを有することによって、差込片をスリットに挿入したときに係合切断線が側方切断線部に係合して差込片の抜けを防止すると共に、差込片の基端縁及びスリットのオフセット部分で段ボールシートの厚さを吸収して隙間を小さくすると共に箱体表面の凹凸を小さくすることができる。
【００１１】
上記１対の側方切断線部の中央切断線部からのオフセット量としては、段ボールシートの平均厚さの０．５倍以上２倍以下が好ましい。このように、上記１対の側方切断線部の中央切断線部からのオフセット量を上記範囲内とすることによって、当該箱用シートを組立てて封函した箱体の隙間をより確実に小さくすることができる。
【００１２】
上記蓋板が延出しない１対の側板の上縁から延出する１対の内フラップをさらに備え、上記１対の内フラップの先端縁が組立状態で略突き合わされるとよい。このように、上記蓋板が延出しない１対の側板の上縁から延出する１対の内フラップをさらに備え、上記１対の内フラップの先端縁が組立状態で略突き合わされることによって、スリットの内側に内フラップが配置され、当該箱用シートを組立てて封函した箱体の隙間をさらに小さくすることができる。
【００１３】
上記開封用切断容易線が、蓋板の左右方向略中央に位置する破断開始部と、この破断開始部から左右方向両側かつ蓋板延出方向先端側に伸びる追従破断部とを有するとよい。このように、上記開封用切断容易線が、蓋板の左右方向略中央に位置する破断開始部と、この破断開始部から左右方向両側かつ蓋板延出方向先端側に伸びる追従破断部とを有することによって、当該箱用シートを組立てて封函した箱体を比較的容易に開封することができる。
【考案の効果】
【００１４】
以上のように、本考案の箱用シートは、開封後に再度封函可能で、隙間が小さい箱体を形成することができる。
【図面の簡単な説明】
【００１５】
【図１】本考案の一実施形態の箱用シートの模式的平面図（展開図）である。
【図２】図１の箱用シートを組立ててなる箱体の封函状態を示す模式的斜視図である。
【図３】図１の箱用シートのスリットの模式的部分拡大斜視図である。
【図４】図１の箱用シートを組立ててなる箱体の封函途中の状態を示す模式的斜視図である。
【図５】図２の箱体の開封後の再封函の要領を示す模式的斜視図である。
【考案を実施するための形態】
【００１６】
以下、適宜図面を参照しつつ、本考案の実施の形態を詳説する。
【００１７】
［箱用シート］
図１の箱用シートは、１枚の段ボールシートから形成され、図２に示すように、箱状に組立てられる。なお、図１において、太い実線は段ボールシートを切断して形成されるエッジを示し、細い実線は段ボールシートの表面に筋押しして形成される罫線を示す。
【００１８】
当該箱用シートを形成する段ボールシートとしては、１枚の中芯の両側を１対のライナーで挟み込んだものだけでなく、３枚のライナーの間にそれぞれ中芯が挟み込まれたいわゆるダブルフルートを使用してもよく、中芯の片側にのみライナーが貼着されたいわゆる片面段ボールを使用してもよい。
【００１９】
当該箱用シートは、四角筒状に組立てられるよう左右方向に連接される方形状の４つの側板（第１側板１、第２側板２、第３側板３及び第４側板４）と、第１側板１の第１側板２と反対側の側延から延設され、第４側板４に貼着されることで４つの側板を無端ループ状に接続する継ぎしろ５と、組立状態で対向する２つの側板（第１側板１及び第３側板３）の上縁から延出する１対の蓋板（第１蓋板６及び第２蓋板７）と、蓋板６，７が延出しない１対の側板（第２側板２及び第４側板４）の上縁から延出する１対の方形状の蓋内フラップ（第１蓋内フラップ８及び第２蓋内フラップ９）と、蓋板６，７が延出する１対の側板（第１側板１及び第３側板３）の下縁から延出する１対の底板（第１底板１０及び第２底板１１）と、蓋板６，７が延出しない１対の側板（第２側板２及び第４側板４）の下縁から延出する１対の底内フラップ（第１底内フラップ１２及び第２底内フラップ１３）とを備える。
【００２０】
なお、本明細書において、「左右方向」とは、当該箱用シートを組立ててなる箱体の想定される一般的な使用態様における水平方向に対応する方向であり、「上」及び「下」とは、想定される一般的な使用態様における上下を意味するが、当該箱用シートの製造時の向きや当該箱用シートを組立ててなる箱体の使用時の向き制限することを企図しない。
【００２１】
＜側板＞
４つの側板１，２，３，４は、上下方向の高さが略等しい。組立状態で対向する第１側板１及び第３側板３並びに第２側板２及び第４側板４は、それぞれ左右方向の幅が等しい。また、蓋板６，７が延出する第１側板１及び第３側板３の左右方向の幅は、蓋板６，７が延出しない第２側板２及び第４側板４の左右方向の幅よりも大きいことが、蓋板６，７の延出長さを相対的に小さくできる点で好ましい。
【００２２】
＜蓋板＞
１対の蓋板６，７は、基端縁から離間する位置に基端縁と略平行に形成されるスリット１４と、延出方向先端に他方の蓋板７，６のスリット１４に挿入される差込片１５と、上記スリット１４よりも延出方向先端側かつ差込片１５よりも基端側で蓋板６，７を分割可能な開封用切断容易線１６とを有する。
【００２３】
蓋板６，７の基端縁（側板１，３との境界）から差込片１５までの距離の下限としては、蓋板６，７が延出しない側板２，４の左右方向の幅の３／５が好ましく、２／３がより好ましい。一方、蓋板６，７の基端縁から差込片１５までの距離の上限としては、蓋板６，７が延出しない側板２，４の左右方向の幅の９／１０が好ましく、４／５がより好ましい。蓋板６，７の基端縁から差込片１５までの距離が上記下限に満たない場合、封函状体での１対の蓋板６，７間の重複面積が小さく、一方の開封用切断容易線１６を切断した状態で箱体を隙間なく封函することが難しくなるおそれがある。逆に、蓋板６，７の基端縁から差込片１５までの距離が上記上限を超える場合、当該箱用シートの面積が不必要に大きくなるおそれや差込片１５が第１側板１又は第３側板３に干渉して封函を阻害するおそれがある。
【００２４】
（スリット）
スリット１４は、当該箱用シートを組立ててなる箱体に不必要な隙間を形成しないよう、幅を有しない切断線によって形成されることが好ましい。また、このスリット１４は、使用されないときに不必要に開口しないよう、部分的に非切断部（切断線が途切れる部分）を有してもよい。この非切断部の長さとしては、例えば１ｍｍ以上３ｍｍ以下とすることができる。また、非切断部の数としては、１つ以上５つ以下とすることができる。
【００２５】
具体的には、スリット１４は、左右方向に伸びる中央切断線部１４ａと、この中央切断線部１４ａの左右方向両側に左右方向に伸び、蓋板６，７の延出方向基端側にオフセットして設けられる１対の側方切断線部１４ｂと、中央切断線部１４ａ及び側方切断線部１４ｂ間を接続する１対の接続切断部１４ｃと、側方切断線部１４ｂの両端から蓋板６，７の延出方向に中央切断線部１４ａと略等しい位置まで伸びる端部切断部１４ｄとを有する。
【００２６】
スリット１４は、端部切断部１４ｄを有することによって、図３に示すように、１対の側方切断線部１４ｂを箱体の内側に押し込むようにして、差込片１５を挿入可能な幅を有する隙間を形成することができる。また、スリット１４がこのように隙間を形成する際、中央切断線部１４ａが蓋板６，７の延出方向先端側に突出し、蓋板６，７のスリット１４に隣接する領域が形成される隙間の中央部上方を覆う凸部を形成するので、当該箱用シートを組立ててなる箱体の封函時に形成される隙間を小さくすることができる。
【００２７】
側方切断線部１４ｂの中央切断線部１４ａに対するオフセット量の下限としては、当該箱用シートを形成する段ボールシートの厚さの０．５倍が好ましく、０．８倍がより好ましい。一方、側方切断線部１４ｂの中央切断線部１４ａに対するオフセット量の上限としては、当該箱用シートを形成する段ボールシートの厚さの２倍が好ましく、１．５倍がより好ましい。側方切断線部１４ｂの中央切断線部１４ａに対するオフセット量が上記下限に満たない場合、スリット１４に差込片１５を挿入した場合に隙間が形成されるおそれがある。逆に、側方切断線部１４ｂの中央切断線部１４ａに対するオフセット量が上記上限を超える場合、箱体の表面の凹凸が大きくなるおそれがある。
【００２８】
中央切断線部１４ａの長さの下限としては、３ｃｍが好ましく、５ｃｍがより好ましい。一方、中央切断線部１４ａの長さの上限としては、１５ｃｍが好ましく、１２ｃｍがより好ましい。中央切断線部１４ａの長さが上記下限に満たない場合、差込片１５の幅が小さくなり破断しやすくなるおそれがある。逆に、中央切断線部１４ａの長さが上記上限を超える場合、当該箱用シートを組立ててなる箱体の隙間が不必要に大きくなるおそれがある。
【００２９】
側方切断線部１４ｂの長さの下限としては、１ｃｍが好ましく、１．２ｃｍがより好ましい。一方、側方切断線部１４ｂの長さの上限としては、３ｃｍが好ましく、２．５ｃｍがより好ましい。側方切断線部１４ｂの長さが上記下限に満たない場合、差込片１５のスリット１４への挿入が容易でなくなるおそれや、差込片１５を十分に係止できなくなるおそれがある。逆に、側方切断線部１４ｂの長さが上記上限を超える場合、当該箱用シートを組立ててなる箱体の隙間が不必要に大きくなるおそれがある。
【００３０】
（差込片）
差込片１５は、蓋板６，７の先端の凸部として形成される。差込片１５の左右方向の幅は、スリット１４への挿入を可能にするために、スリット１４の左右方向の幅より小さい。また、差込片１５は、スリット１４に差し込みやすいよう、蓋板６，７の延出方向先端側に向かって縮幅するよう形成されるとよい。
【００３１】
差込片１５の基端縁（蓋板６，７の本体との境界）は、左右方向に伸びる基端折曲容易線１５ａと、この基端折曲容易線１５ａの左右方向両側に左右方向に伸び、蓋板６，７の延出方向先端側にオフセットして設けられる１対の係合切断線１５ｂと、基端折曲容易線１５ａと１対の係合切断線１５ｂとを接続する１対の接続切断線１５ｃとによって画定される。
【００３２】
差込片１５は、１対の係合切断線１５ｂが蓋板６，７の延出方向先端側にオフセットされることによって、係合切断線１５ｂを蓋板６，７の厚さ方向にずらしてスリット１４の側方切断線部１４ｂに係合させ、差込片１５がスリットから容易に抜け出ないように保持することができる。
【００３３】
このように、係合切断線１５ｂを側方切断線部１４ｂに係合させるために、差込片１５の１対の係合切断線１５ｂの基端折曲容易線１５ａに対するオフセット量は、スリット１４の側方切断線部１４ｂの中央切断線部１４ａに対するオフセット量以上とされる。また、係合切断線１５ｂの基端折曲容易線１５ａに対するオフセット量と側方切断線部１４ｂの中央切断線部１４ａに対するオフセット量との差の上限としては、当該箱用シートを形成する段ボールシートの厚さの１．５倍が好ましく、１倍がより好ましい。上記オフセット量の差が上記上限を超える場合、当該箱用シートを組立ててなる箱体の隙間が不必要に大きくなるおそれがある。
【００３４】
基端折曲容易線１５ａは、折り曲げ容易線として形成されるが、差込片１５のスリット１４への挿入を容易にすると共に、中央切断線部１４ａに密着して箱体の表面の凹凸を小さくできるよう、切り込みと罫線とを交互に配置したリード罫線として形成されることが好ましい。また、基端折曲容易線１５ａの長さは、箱体の隙間を小さくできるよう、中央切断線部１４ａの長さと略等しいことが好ましい。
【００３５】
（開封用切断容易線）
開封用切断容易線１６は、当該箱用シートを組立ててなる箱体の封函状態において、蓋板６，７の互いに重なり合う領域の内部において、蓋板６，７を基端縁側と差込片１５側とに分断できるよう形成される。これにより、蓋板６，７の一方の開封用切断容易線１６を破断して箱体を開封した後に、蓋板６，７の上下を逆にして再度隙間なく封函することが可能となる。
【００３６】
開封用切断容易線１６は、蓋板６，７の左右方向略中央に位置する破断開始部１６ａと、この破断開始部１６ａから左右方向両側かつ蓋板６，７の延出方向先端側に伸びる追従破断部１６ｂとを有する。開封用切断容易線１６をこのような構成とすることによって、蓋板６，７を延出方向基端側と先端側とを分断し、当該箱用シートを組立ててなる箱体を開封することが比較的容易となる。
【００３７】
具体例としては、破断開始部１６ａは、当該箱用シートを組立ててなる箱体において外側から指で押圧することで比較的容易に破断して、指を挿入可能な開口を形成できるような切断線によって画定することができる。追従破断部１６ｂは、左右方向内側が蓋板６，７の延出方向先端側に屈曲する複数の切断線を一列に並べた構成とすることができる。
【００３８】
＜蓋内フラップ＞
蓋内フラップ８，９は、図４に示すように、当該箱用シートを組立ててなる箱体において、互いの先端縁を突き合わせるようにして、４つの側板１，２，３，４から形成される四角筒状部の上端開口を封止する。箱体は、この突き合わせ状態の蓋内フラップ８，９の上面に１対の蓋板６，７が順に重ね合わされることで封函される。従って、蓋内フラップ８，９の延出長さの合計は、蓋板６，７が延出する１対の側板１，３の左右方向の長さと略等しい。
【００３９】
このように蓋板６，７の内側に重ね合わされる蓋内フラップ８，９は、スリット１４に挿入される差込片１５を蓋板６，７に密着するよう保持する。これにより、差込片１５が箱体の内部に収容する品物に干渉することを防止すると共に、スリット１４と差込片１５との間に形成される隙間を小さくする。
【００４０】
また、左右方向端部に位置する第４側板４から延出する第２蓋内フラップ９の延出長さとしては、蓋板６，７の延出長さ（基端縁から差込片１５の先端までの長さ）と等しいことが好ましい。これにより、一般的なグルアーを使用して継ぎしろ５を第４側板４に接着する際に、第１蓋板６の先端縁及び第２蓋内フラップ９の先端縁をガイドで規制することによって第１側板１及び第４側板４を正確に折り返して、第１側板１と第４側板４とを比較的正確に接続することができる。
【００４１】
＜底板＞
１対の底板１０，１１は概略方形状に形成されている。より詳しくは、第１底板１０は延出方向先端の左右方向両端部に凸部１０ａが形成され、第２底板１１は延出方向先端の中央部に凸部１１ａが形成されている。
【００４２】
当該箱用シートを組立てた状態で、第１底板１０の凸部１０ａを第２底板１１の先端部の内面側に配置し、かつ第２底板１１の凸部１１ａを第１底板１０の先端部の内面側に配置することで、１対の底板１０，１１は、咬合して４つの側板１，２，３，４により形成される四角筒状部の下端開口を封止する状態に保持される。より詳しくは、第１底板１０の先端部の外面側に第２底板１１の先端部が重なるよう配置し、第２底板１１の凸部１１ａを箱体の内側に押し込むよう押圧することで、第２底板１１の凸部１１ａを第１底板１０の内面側に滑り込ませて、１対の底板１０，１１を咬合させることができる。
【００４３】
このため、１対の底板１０，１１の凸部１０ａ，１１ａを除く延出長さとしては、底板１０，１１が延出しない側板２，４の左右方向の平均長さの約１／２とされる。第１底板１０の凸部１０ａの延出長さと第２底板１１の凸部１１ａの延出長さとは等しいことが好ましい。また、凸部１０ａ，１１ａは、底板１０，１１を堅固に咬合させられるよう、左右方向の存在位置が相補的となるよう形成される。
【００４４】
また、各底板１０，１１は、基端縁の両端からそれぞれ延出方向先端側かつ左右方向中央側に傾斜して延在する罫線により画定される１対の弱化線１０ｂ，１１ｂを有する。この弱化線１０ｂ，１１ｂは、第２底板１１の凸部１１ａを第１底板１０の内面側に滑り込ませる際に、底板１０，１１の左右方向両端部が折れ曲がって、底板１０，１１の咬合を容易にする。
【００４５】
＜底内フラップ＞
底内フラップ１２，１３は、当該箱用シートを組立ててなる箱体において、底板１０，１１の内側に沿うよう配置され、箱体の隙間を小さくする。
【００４６】
また、左右方向端部に位置する第４側板４から延出する第２底内フラップ１３の延出長さとしては、底板１０，１１の延出長さ（基端縁から凸部１０ａ，１１ａの先端までの長さ）と等しいことが好ましい。これにより、一般的なグルアーを使用して継ぎしろ５を第４側板４に接着する際に、第１底板１０の先端縁及び第２底内フラップ１３の先端縁をガイドで規制することによって第１側板１及び第４側板４を正確に折り返して、第１側板１と第４側板４とを比較的正確に接続することができる。
【００４７】
＜利点＞
当該箱用シートは、組立状態で対向する２つの側板１，３の上縁から延出する１対の蓋板６，７が、基端縁から離間する位置に基端縁と略平行に形成されるスリット１４と、延出方向先端に他方の蓋板７，６のスリット１４に挿入される差込片１５とを有することによって、組立状態で一方の蓋板６，７の差込片１５を他方の蓋板７，６のスリット１４に挿入することで比較的容易に封函することができる。
【００４８】
また、当該箱用シートは、封函のためのスリット１４が、蓋板６，７の基端縁から離間する位置に形成されているので、一方の蓋板６，７の差込片が他方の蓋板７，６と重なり合う状態で封函されるので隙間を形成し難く、かつ差込片１５が挿入されない方のスリットも蓋板７，６の側板２，１に対する折り曲げによって隙間が拡がり難いので箱体に隙間を形成し難い。
【００４９】
また、当該箱用シートは、蓋板６，７のスリット１４よりも延出方向先端側かつ差込片よりも基端側で蓋板６，７を分割可能な開封用切断容易線１６をさらに有することによって、例えば図２の封函状態で、差込片１５が第２蓋板のスリット１４に挿入されている第１蓋板６の開封用切断容易線１６を破断することで比較的容易に箱体を開封することができる。
【００５０】
また、当該箱用シートを組立ててなる箱体は、開封後には、例えば図５に示すように、開封用切断容易線１６を破断した第１蓋板６を内側に配置して、この第１蓋板６のスリット１４に第２蓋板の差込片１５を挿入することによって、再度封函することができる。
【００５１】
また、当該箱用シートを組立ててなる箱体は、宅配便を利用して品物を発送する場合、差込片１５が挿入されたスリット１４を覆うように送り状を貼着することで、封函状体をより確実に保持することができる。
【００５２】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００５３】
当該箱用シートにおいて、スリット、差込片及び開封用切断容易線の形状は、上述の実施形態のものに限られず、基本的な機能を果たし得る範囲で技術常識に基づいて変更することができる。
【００５４】
当該箱用シートにおいて、蓋内フラップは、省略してもよく、突き合わせ状態とならない延出長さが小さいもの、例えばフランジ状のものであってもよい。
【００５５】
当該箱用シートにおいて、底板及び底内フランジの形状は任意であり、例えばいわゆるミカン箱タイプ、ワンタッチタイプ、アメリカンロックタイプ等の底体を形成するものであってもよい。
【産業上の利用可能性】
【００５６】
本考案に係る箱用シートは、任意の品物を収容する箱体を形成するものとして利用することができる。
【符号の説明】
【００５７】
１，２，３，４  側板
５  継ぎしろ
６，７  蓋板
８，９  蓋内フラップ
１０，１１  底板
１０ａ，１１ａ  凸部
１０ｂ，１１ｂ  弱化線
１２，１３  底内フラップ
１４  スリット
１４ａ  中央切断線部
１４ｂ  側方切断線部
１４ｃ  接続切断部
１４ｄ  端部切断部
１５  差込片
１５ａ  基端折曲容易線
１５ｂ  係合切断線
１５ｃ  接続切断線
１６  開封用切断容易線
１６ａ  破断開始部
１６ｂ  追従破断部
【図１】
0003206842.tif 000003
【図２】
0003206842.tif 000004
【図３】
0003206842.tif 000005
【図４】
0003206842.tif 000006
【図５】
0003206842.tif 000007